(57)【要約】【課題】既存書架の棚板、袖板に追加して用いるだけで、非常に容易に地震対策ができる安価な書架用棚板傾斜付加金具を提供すること。【解決手段】棚板傾斜付加金具１は、棚間口側の棚板側面内側に棚板下面に沿わせて密着される板状本体部１０と、棚板の棚間口側折返し部に系合するフック部１１と、袖板の爪状突起部と係合する系合穴１２を有している。棚板と一体化した板状本体部１０の系合穴１２を、袖板下部の棚板側面差込部を差込む爪状突起部にはめ込むことにより、棚板と袖板を係合し、棚板を傾けて、棚板上面を棚間口側より棚奥側に向けて下降する傾斜面とするよう構成されている。【選択図】図１
0003178330.tif 000002
【実用新案登録請求の範囲】
【請求項１】
既存書架の棚板間口側の棚板折返し部に系合するフック部及び既存書架の袖板の爪状突起部と係合する系合穴を板状本体部の先頭部に有し、棚板と袖板を係合することで、棚板を傾けて、棚板上面を棚間口側より棚奥側に向けて下降する傾斜面となるよう構成されていることを特徴とする書架用の棚板傾斜付加金具。
【請求項２】
板状本体部の先頭部に有するフック部と、板状本体部の先頭部に有する係合穴または板状本体部下端に直角に交わる脚部により、棚板及び袖板を係合することで、地震動による、棚板の袖板からの脱落を抑制することを特徴とする請求項１記載の書架用の棚板傾斜付加金具。
【考案の詳細な説明】
【技術分野】
【０００１】この考案は、棚板上に収納されている書物が地震動により該棚板上を滑って棚間口から落下するのを抑制する棚板傾斜付加金具の形状に関するものである。
【背景技術】
【０００２】大学図書館などにおいて多数使用されている書架は、底部と、底部から立設した複数の支柱部とからなる架構部と、該架構部の内部において上記支柱部間に掛け渡して配置する複数枚の棚板とを備えてなる。【０００３】架構部の内部に上記棚板を保持するために、棚板の両端を、袖板と呼ばれる固定用金具を介して支柱部に固定する構造がとられることが多い。袖板は左右一対となっており、板状本体部と、支柱部に設けられた係合穴に係合可能なフック部と、棚板に係合する棚板係合部とを有している。棚板は、通常、書物を受ける上面が水平となるように配置されている。【０００４】このような棚においては、地震等の水平力が加わった時に、前記棚板上の書物が滑って棚間口から突出し、あるいは落下する恐れがある。地震時の書物の落下による事故を防止すべく、書架に地震対策用の装置を設置することが試みられてきた。従来の書架に対する地震対策装置、固定用金具としては、たとえば下記の特許文献等に記載のものがある。
【先行技術文献】
【特許文献】
【０００５】
【特許文献１】登録実用新案第３０２７７９０号
【特許文献２】登録実用新案第３１６３９２６号
【考案の概要】
【考案が解決しようとする課題】
【０００６】特許文献１記載の装置は、地震発生時に書物の前方にガイド部材を配置することで棚間口からの書物落下を防止する装置である。特許文献２は棚板を棚間口側が棚奥側より上向きになるように傾斜をつける固定用金具で、既存書架の袖板に代えて用いることで、地震発生時に書物が棚間口から棚奥方向へ力が付与されて棚間口から書物が落下することが抑制される。【０００７】いずれの技術にも地震対策効果は認められるが、新たに装置をつけたり、固定用金具を取り替えたりして、多額の費用を要することになる。また、地震対策を除けば、現に機能している既存書架の袖板を廃棄することは、経済的にも環境保護の観点からも有益な方法とはいえない。大学図書館等非常に多くの書架を有する施設では、購入費用が高額となって、早急に地震対策を実施できないことが問題となっている。
【課題を解決するための手段】
【０００８】本考案は、かかる問題点に鑑みてなされたものであり、本考案の棚板傾斜付加金具を既存書架の棚板と袖板の系合部に装着するだけで、容易に地震対策ができる安価な棚板傾斜付加金具を提供しようとするものである。
【考案の効果】
【０００９】上記棚板傾斜付加金具は、棚間口側の棚板側面内側に棚板下面に沿わせて密着させて棚板と一体化し、袖板下端部の棚板側面を差込む爪状突起部に本金具の系合穴をはめ込むことにより、棚板を傾けて、棚板上面を棚間口側より棚奥側に向けて下降する傾斜面とし、地震発生時には書物が棚間口から棚奥方向へ力が付与されて棚間口から書物が落下するのを抑制する棚板傾斜付加金具である。【００１０】上記棚板傾斜付加金具は、棚板と一体化し袖板の爪状突起と係合することで、袖板に棚板側面を差込むタイプの書架の弱点である、地震動により棚板が上下に振動し、棚板が袖板から外れて棚間口方向に飛び出したり、落下したりすることを抑制する棚板傾斜付加金具である。
【図面の簡単な説明】
【００１１】
【図１】この考案の一実施形態を示す斜視図である。（実施例１）
【図２】棚板差込方式書架の袖板（左側）を示す斜視図である。
【図３】棚板差込方式書架の袖板（右側）を示す斜視図である。
【図４】棚板差込方式書架の棚板を示す斜視図である。
【図５】棚板差込方式書架の棚板と袖板の通常組付けの概略を示す斜視図である。
【図６】棚板差込方式書架の棚板と袖板の通常組付け時における棚板裏側の棚板差込部と袖板（左側）の係合を示す斜視図である。
【図７】棚板傾斜付加金具を装着した棚板差込方式書架の棚板と袖板の組付けの概略を示す斜視図である。
【図８】棚板傾斜付加金具を装着した棚板差込方式書架の棚板と袖板の組付け時における、棚板裏側の棚板差込部及び棚板傾斜付加金具と袖板（左側）との係合を示す斜視図である。
【図９】この考案の他の実施形態を示す斜視図である。（実施例２）
【図１０】棚板はめ込み方式書架の袖板（左側）を示す斜視図である。
【図１１】棚板はめ込み方式書架の棚板裏側を示す斜視図である。
【図１２】棚板傾斜付加金具を装着した棚板はめ込み方式書架の棚板と袖板の組付け時における、棚板裏側の棚板折込み部と袖板（左側）及び棚板傾斜付加金具の係合を示す斜視図である。
【考案を実施するための形態】
【００１２】棚板を傾けて、棚板上面を棚間口側より棚奥側に向けて下降する傾斜面とし、地震発生時の棚間口からの書物落下を抑制するとともに、棚板と袖板を係合して、棚板の袖板からの脱落を抑制するという目的を、単純な形状の棚板傾斜付加金具で安価に実現した。
【実施例１】
【００１３】この考案の一実施形態を、図１に示す。棚板傾斜付加金具１は冷間圧延鋼板（ＳＰＣＣ）製であり、この板状本体部１０の先頭部には棚板間口側の棚板折返し部に系合するフック部１１と袖板の爪状突起部と係合する系合穴１２が設けられていて、左右同形の形状をなす一対の棚板傾斜付加金具である。【００１４】図１の棚板傾斜付加金具を装着する書架の袖板（左側）を図２に、袖板（右側）を図３に、棚板を図４に示す。棚板左右の側面差込部を袖板の左右各２箇所の爪状突起部の内側に差込んで袖板と棚板を系合する方式をとっている。袖板は左右対象の形状をなし、棚板側面差込部は左右同一形状をなしているので、以下、袖板と棚板の系合部分の詳細については左側のものについてだけ説明する。【００１５】図２及び図３の袖板（左右）と図４の棚板を通常の状態で系合した棚組み概略図を図５に示す。袖板（左側）の爪状突起部と棚板側面差込部（左側）の系合を図６に示す。通常の棚組みでは、棚板（上面）４０は水平面となる。【００１６】棚板傾斜付加金具１を上記の袖板と棚板に系合した棚組み概略図を図７に示す。袖板（左側）の爪状突起部と棚板側面差込部（左側）及び棚板傾斜付加金具１との系合を図８に示す。【００１７】棚板側面内側に密着させた棚板傾斜付加金具１のフック部１１を棚板（下面）４５に沿わせて棚間口折返し部４２に、系合穴１２を袖板の棚間口側の爪状突起部２１にそれぞれ系合することで、棚間口折返し部４２を棚奥折返し部４４より１０ミリメートル程度高くすることができる。この棚組みでは、棚板（上面）４０は棚間口折返し部４２から棚奥折返し部４４に向かって下降する傾斜面となる。地震発生時には書物が棚間口から棚奥方向へ力が付与されて棚間口から書物が落下するのを抑制する。【００１８】一対の棚板傾斜付加金具１のフック部１１をそれぞれ棚間口折返し部４２に係合するとともに、系合穴１２と袖板の爪状突起部２１、対となる棚板傾斜付加金具１の系合穴１２と袖板の爪状突起部３１をそれぞれ係合することで、袖板に棚板側面を差込む方式の書架の弱点である、地震動により棚板が上下に振動し、棚板側面差込部４１、４３が爪状突起部２１、２２、３１及び３２から外れて棚板４が棚間口方向に飛び出したり、落下したりすることを抑制する。
【実施例２】
【００１９】この考案の他の実施形態を、図９に示す。図１の実施形態では、書架の袖板に爪状突起部が必要であり、袖板の板状本体部（下端）を直角に折り曲げて溝状の棚受部とし、棚板側面の折込み部をはめ込む方式をとる書架の袖板には使用できない。【００２０】棚板傾斜付加金具５は、図１に示す棚板傾斜付加金具１の板状本体部１０の下端に直角に交わる脚部をつけた冷間圧延鋼板（ＳＰＣＣ）製で、棚板傾斜付加金具１と同様、板状本体部５０の先頭部には棚間口折返し部７２に系合するフック部５１と袖板の爪状突起部と係合する系合穴５２が設けられている。図９（ａ）が左側袖板用、図９（ｂ）が右側袖板用で、左右対称の形状をなす一対の棚板傾斜付加金具である。【００２１】図９の棚板傾斜付加金具５を装着する書架の袖板（左側）を図１０に、棚板を図１１に示す。図１０は、袖板の板状本体部６０の下端を直角に折り曲げて溝状の棚受けとする袖板（左側）６で、左右対称の対をなす袖板（右側）と図１１の棚板側面に直角の折込み部を有する棚板７と係合して棚組みとする。【００２２】図１２は、棚板傾斜付加金具５の左側袖板用５４、袖板（左側）６の溝状棚受部（底）６１及び溝状棚受部（縁）６２と棚間口折返し部７２の棚板裏側での係合を示す斜視図である。【００２３】棚板傾斜付加金具５の左側袖板用５４の脚部５３を袖板（左側）の溝状棚受部（底）６１に、板状本体部５０の下端部を溝状棚受部（縁）６２に密着させた左側袖板用５４のフック部５１を、棚板（下面）７５に沿わせて棚間口折返し部７２に系合することで、棚間口折返し部７２を棚奥折返し部７４より１０ミリメートル程度高くすることができる。この棚組みでは、棚板（上面）７０は棚間口折返し部７２から棚奥折返し部７４に向かって下降する傾斜面となる。地震発生時には書物が棚間口から棚奥方向へ力が付与されて棚間口から書物が落下するのを抑制する。【００２４】一対の棚板傾斜付加金具５のフック部５１をそれぞれ棚板の棚間口折返し部７２に系合するとともに、左側袖板用５４の板状本体部５０の下端部及び脚部５３を袖板（左側）の溝状棚受部（底）６１及び溝状棚受部（縁）６２に、右側袖板用５５の板状本体部５０の下端部及び脚部５３を左右対称の対をなす袖板（右側）の溝状棚受部にそれぞれ係合することで、袖板の溝に棚板をはめ込む方式の書架の弱点である、地震動により棚板が上下に振動し、棚板側面折込み部７１、７３が袖板の溝状棚受部（底）６１と溝状棚受部（縁）６２、６３及び左右対称の対をなす袖板（右側）の溝状棚受部から外れて棚板７が棚間口方向に飛び出したり、落下したりすることを抑制する。
【符号の説明】
【００２５】１  棚板傾斜付加金具
１０  板状本体部
１１  フック部
１２  系合穴
２  袖板（左側）
２０  板状本体部
２１  爪状突起部（棚間口側）
２２  爪状突起部（棚奥側）
２３  書架支柱用フック部
３  袖板（右側）
３０  板状本体部
３１  爪状突起部（棚間口側）
３２  爪状突起部（棚奥側）
３３  書架支柱用フック部
４  棚板
４０  棚板（上面）
４１  棚板側面差込部（左側）
４２  棚間口折返し部
４３  棚板側面差込部（右側）
４４  棚奥折返し部
４５  棚板（下面）
５  棚板傾斜付加金具
５０  板状本体部
５１  フック部
５２  系合穴
５３  脚部
５４  左側袖板用
５５  右側袖板用
６  袖板（左側）
６０  板状本体部
６１  溝状棚受部（底）
６２  溝状棚受部（縁）（棚間口側）
６３  溝状棚受部（縁）（棚奥側）
６４  書架支柱用フック部
７  棚板
７０  棚板（上面）
７１  棚板側面折込み部（左側）
７２  棚間口折返し部
７３  棚板側面折込み部（右側）
７４  棚奥折返し部
７５  棚板（下面）
【図１】
0003178330.tif 000003
【図２】
0003178330.tif 000004
【図３】
0003178330.tif 000005
【図４】
0003178330.tif 000006
【図５】
0003178330.tif 000007
【図６】
0003178330.tif 000008
【図７】
0003178330.tif 000009
【図８】
0003178330.tif 000010
【図９】
0003178330.tif 000011
【図１０】
0003178330.tif 000012
【図１１】
0003178330.tif 000013
【図１２】
0003178330.tif 000014